(57)【要約】【課題】目視による封印部材の破壊有無の確認によらず、端子遮蔽部が取外されたことを電力量計が検出することにより、不正行為が行われた可能性を検出することができる電力量計を提供する。【解決手段】電力量計本体１００に端子遮蔽部１１０、１１１、１１７の取付け・取外しを検知する検知部１２３を設け、当該端子遮蔽部が取外されたことを報知する手段を電力量計に設け、不正使用の蓋然性が高いことを検針員等に知らせるようにした。【選択図】  図３
2008134193.tif 000002
【特許請求の範囲】
【請求項１】
電力配電線を固定する端子部と、
前記端子部に接続された前記配電線から供給され被測定系で消費される電力量を演算する電力量演算手段と
を具備した電力量計本体と、
前記電力量計本体の前記端子部を遮蔽する端子遮蔽手段と
を有する電力量計において、
前記電力量計本体は
前記端子遮蔽手段が前記端子部に取付けられているときに、前記電力量演算手段へ信号を出力する検知手段を具備したことを特徴とする電力量計。
【請求項２】
前記端子遮蔽手段は、前記端子部を覆う端子カバーと、
前記端子カバーを前記端子部へ固定する固定ネジと、
前記固定ネジに取付けられたときに、前記検知手段に接触する突起部を有する封印手段とを具備し、
前記検知手段は、
前記端子遮蔽手段が前記端子部に取付けられたときに、前記封印手段の前記突起部により押され、前記電力量演算手段へ検出信号を出力するスイッチ手段と
を具備したことを特徴とする請求項１記載の電力量計。
【請求項３】
前記端子遮蔽手段は、前記端子部に取付けられたときに、前記端子部を覆い、前記検知手段に接触する突起部を有する端子カバーと、
前記端子カバーを前記端子部へ固定する固定ネジと、
を具備し、
前記検知手段は、
前記端子遮蔽手段が前記端子部に取付けられたときに、前記端子カバーの前記突起部により押され、前記電力量演算手段へ検出信号を出力するスイッチ手段と
を具備したことを特徴とする請求項１記載の電力量計。
【請求項４】
前記端子遮蔽手段は、前記端子部を覆う端子カバーと、
前記端子カバーを前記端子部へ固定する固定ネジと、
前記固定ネジに取付けられたときに光を反射する鏡部を有する封印手段と
を具備し、
前記検知手段は、
前記端子遮蔽手段が前記端子部に取付けられたときに、前記封印手段の前記鏡部に対し光を発する発光部と、
前記封印手段の前記鏡部にて反射された光を受光し、前記電力量演算手段へ検出信号を出力する光検知手段と
を具備したことを特徴とする請求項１記載の電力量計。
【請求項５】
前記端子遮蔽手段は、前記端子部に取付けられたときに、前記端子部を覆い、光を反射する鏡部を有する端子カバーと、
前記端子カバーを前記端子部へ固定する固定ネジと
を具備し、
前記検知手段は、
前記端子遮蔽手段が前記端子部に取付けられたときに、前記端子カバーの前記鏡部に対し光を発する発光部と、
前記端子カバーの前記鏡部にて反射された光を受光し、前記電力量演算手段へ検出信号を出力する光検知手段と
を具備したことを特徴とする請求項１記載の電力量計。
【請求項６】
前記端子遮蔽手段が取外された回数を表示する表示手段
を具備したことを特徴とする請求項１乃至５のいずれか１項記載の電力量計。
【請求項７】
前記端子遮蔽手段が取外された場合に外部に報知する警報信号を発生する報知手段
を具備したことを特徴とする請求項１乃至６のいずれか１項記載の電力量計。
【請求項８】
前記端子遮蔽手段が取外された日時ならびに取付けられた日時を記憶する記憶手段を具備したことを特徴とする請求項１乃至７のいずれか１項記載の電力量計。
【発明の詳細な説明】
【技術分野】
【０００１】
本発明は被測定系の使用電力量を測定する電力量計に関する。
【背景技術】
【０００２】
従来より、一般家庭や工場、事業所の使用電力量を測定する電力量計が普及してきてい
る。当該電力量計は被測定系の使用電力量を測定する使用量検出手段と、使用量検出手段
で検出した使用量をデータに編集する制御部と、制御部にて編集されたデータを表示する表示部とを有し、電力配電線を固定する端子構造を具備している。（例えば特許文献１）
【特許文献１】特開昭６２−１２８６９号公報（第４頁、図１）
【発明の開示】
【発明が解決しようとする課題】
【０００３】
前述のとおり電力量計は電力供給会社から供給される電力を受電するための配電線を固定する端子部を具備しており、この端子部は電気的な絶縁が必要とされるため端子遮蔽部にて覆われる。当該端子遮蔽部は端子カバーと封印部材からなり端子カバーが、取外されていないことを担保するために封印部材にて封印される。電力量計は電力料金の取引に用いられるところ配線変更等の不正行為を防止する必要がある。例えば電気的に電力量計をバイパスするような不正配線が行われた場合、電力量計は計量を行わなくなるので、不正に電力使用料金を軽減することができてしまう。前記封印部材が破壊されていないことをもって不正行為が行われていないことの担保としている。当該封印部材が破壊されていないことの確認は目視にて行われていたが、近年、封印部材が破壊されていないように見える工夫を施した不正行為が多発するようになった。
【０００４】
本発明は目視によらず、端子遮蔽部が離脱されたことを確実に検出することができる電力量計を提供することを目的とする。
【課題を解決するための手段】
【０００５】
上記目的を達成するために、本発明による電力量計は、電力配電線を固定する端子部と、前記端子部に接続された前記配電線から供給され被測定系で消費される電力量を演算する電力量演算手段とを具備した電力量計本体と、前記電力量計本体の前記端子部を遮蔽する端子遮蔽手段とを有する電力量計において、前記電力量計本体は、前記端子遮蔽手段が前記端子部に取付けられているときに、前記電力量演算手段へ信号を出力する検知手段を具備したことを特徴とする。
【発明の効果】
【０００６】
本発明によれば、目視によらず、端子遮蔽部が取外されたことを確実に検出することができる電力量計を提供することができる。
【発明を実施するための最良の形態】
【０００７】
以下、本発明の実施例を説明する。
【実施例１】
【０００８】
本発明による計量器の実施例１について図１、図２、図３を参照して説明する。
【０００９】
図１において、１００は電力量計本体で需要家の使用電力を測定する。
【００１０】
１０１は端子部で、電力供給会社からの配電線を固定する電源側端子１０２、１０３、１０４、並びに需要家への配電線を固定する負荷側端子１０５、１０６、１０７を有する。
【００１１】
１１０は端子遮蔽部を構成する端子カバーで、端子部１０１と面する側面にゴム等の絶縁物を貼った金属板等により構成され、電力量計本体１００の端子部１０１を覆う。
【００１２】
１１１、１１２は端子遮蔽部を構成する固定用ネジで端子カバー１１０の貫通穴１１３、１１４を貫通し、電力量計本体１００のネジ穴１１５、１１６に螺合される。端子カバー１１０は固定用ネジ１１１、１１２により電力量計本体１００に固定される。
【００１３】
１１７、１１８は端子遮蔽部を構成する封印部材で、プラスチックのような樹脂材料により構成され固定用ネジ１１１、１１２に固定される。
【００１４】
ここで封印部材１１７の構造を図２に示す。図２は封印部材１１７を固定用ネジ１１１と接する面から見た斜視図である。
【００１５】
２０１は収納穴で固定用ネジ１１１のネジの頭を収納する。封印部材１１７は樹脂材料の弾力にて固定用ネジ１１１の頭に係合し固定されるが、固定後には封印部材１１７を破壊することなく取外すことはできない構造となっている。従って、ネジ１１１の頭から封印部材１１７を取外す場合、封印部材１１７は破壊されることになる。なお封印部材１１８も同様な構造となっている。
【００１６】
２０２は突起部で、封印部材１１７と同等の樹脂材料により構成され、封印部材１１７が固定用ネジ１１１に固定された状態で、端子カバー１１０の貫通穴１２１を貫通し電力量計本体１００に設けられた後述する検知部スイッチ１２３を押す。
【００１７】
図３に側面から見た透視図を示す。
【００１８】
固定用ネジ１１１は端子カバー１１０を貫通し、電力量計本体１００のネジ穴１１５に螺合されることにより、端子カバー１１０を固定する。
【００１９】
封印部材１１７は、固定用ネジ１１１の頭を収納穴２０１に収納する形で固定用ネジ１１１に固定される。このとき突起部２０２は、端子カバー１１０の貫通穴１２１を貫通し電力量計本体１００に設けられた検知部１２３のスイッチを押す。
【００２０】
封印部材１１７は破壊することなく取外すことはできない構造となっている。従って、固定用ネジ１１１の頭から封印部材１１７を取外す場合、封印部材１１７は破壊されることになる。
【００２１】
同様に固定用ネジ１１２（図３中不示）は端子カバー１１０を貫通し、電力量計本体１００のネジ穴１１６に螺合されることにより、端子カバー１１０を固定する。封印部材１１８は、固定用ネジ１１２の頭を収納穴に収納する形で固定用ネジ１１２に固定される。このとき封印部材の突起部は、端子カバー１１０の貫通穴１２２を貫通し電力量計本体１００に設けられた検知部１２４のスイッチを押す。
【００２２】
１２３、１２４は検知部で、金属接点を有するスイッチ等により構成され、押された場合導通となり、押されていない状態では非導通となる。
【００２３】
３０１は回路部で、半導体等の電子回路により構成され、検知部１２３、１２４の信号を受ける。また、演算、記憶、表示等の各動作を行う。
【００２４】
回路部の内部構成を図４に示す。
【００２５】
４０１は使用量検出部で、アナログ−デジタル変換器等からなる電力量検出装置により構成され、外部から供給される電圧、負荷側で使用される使用電流を検出し、乗算し電力量に対応した電気信号に変換する。
【００２６】
４０２は検出部で検知部１２３、１２４からの信号を検出する。
【００２７】
４０３は表示部で液晶表示器等により構成され、需要家の使用電力量、並びに端子遮蔽部が取外された回数である取外し回数を表示する。
【００２８】
４０４は報知部でブザーやランプにより構成され、端子遮蔽部が取外されたことを示す警報信号を外部に発する。
【００２９】
４０５は通信部でシリアル信号送受信回路等により構成され、図示しない外部の通信機能付きハンディターミナル等の機器と通信を行う。
【００３０】
４０６は記憶部でＲＡＭのような半導体メモリにより構成され、需要家の使用電力量、並びに端子遮蔽部の取付け・取外し履歴を記憶する。
【００３１】
４０７は制御部でマイクロコンピュータ等により構成され、使用量検出部４０１により検出された使用電力量をもとに計量値データを作成し表示部４０３に表示させる。さらに、制御部４０７は検出部４０２からの信号を受信し、端子遮蔽部が取外されたと判断した場合、報知部４０４に信号を出力する。さらに、制御部４０７は検出部４０２からの信号を受信し、端子遮蔽部の取付け・取外しが行われた日時を記憶部４０６に記憶させるとともに、取外し回数を表示部４０３に表示させる。
【００３２】
次に、本実施例の動作を図３のプログラムフロー図を参照しつつ説明する。本プログラムは制御部４０７内の図示しないプログラムメモリ内に記憶され、制御部４０７の動作を制御している。
【００３３】
使用量検出部４０１は使用者が使用した使用電力量を検出し制御部４０７にその検出結果を伝える。この検出結果は制御部４０７により計量値データとして記憶部４０６に記憶され、表示部４０３に表示される。
【００３４】
端子遮蔽部の取付け・取外しの検出にかかる動作は以下の手順にて行われる。つまり、端子遮蔽部を構成する封印部材１１７、１１８、端子カバー１１０、固定用ネジ１１１、１１２が適切に電力量計本体１００に取付けられている場合は、封印部材１１７、１１８の突起部が電力量計本体１００の検知部１２３、１２４のスイッチを押すので、各スイッチは導通状態（ＯＮ）となっている。制御部４０７により検知部１２３、１２４のスイッチのうち、すくなくとも一つが非導通（ＯＦＦ）となったか監視され、端子遮蔽部が取外されたか検出される（ステップ５０１）。取外しが検出された場合は不正行為が行われた可能性が高いと考えられるので、端子遮蔽部が取外された回数を表わす「取外し回数」Ｎは１加算され記憶部４０６に記憶され、表示部４０３に表示される（ステップ５０２）。さらに、端子遮蔽部が取外された日時が「取外し日時」として記憶部４０６に記憶される（ステップ５０３）。記憶部４０６には図６のように「取外し日時」が記憶される。また、取外しがあった場合、不正行為が行われた蓋然性が高いと考えられるので、報知部４０４に信号が出力され、報知部４０４から警報信号が発せられる（ステップ５０４）。ここで報知部４０４はブザーやランプのようなもので構成され、例えば電力検針員等に対し警報信号が発せられる。
【００３５】
次に、制御部４０７により検知部１２３、１２４のスイッチ両方が、導通（ＯＮ）となったか監視され（ステップ５０５）、導通である場合は、端子遮蔽部が取付けられたと判断し、当該日時が「取付け日時」として記憶部４０６に記憶される（ステップ５０６）。記憶部４０６には図６のように「取付け日時」が記憶される。なお、図６に示された「取付け日時」「取外し日時」に関するデータは外部の通信機能を持ったハンディターミナル等の機器（図中不示）からの伝送リクエスト指示に応答する形で伝送される。
【００３６】
次に制御部４０７は外部の通信機能を持ったハンディターミナル等の機器（図中不示）からの警報出力を中断する指示である「解除信号」を受信したか判断を行う（ステップ５０７）。受信したと判断された場合、報知部４０４への信号出力は停止され報知部４０４からのブザーやランプ等による警報信号の出力は中断される（ステップ５０８）。一方「解除信号」を受信していないと判断された場合は、継続して報知部４０４からブザーやランプ等による警報信号が出力される。
【００３７】
本実施例を用いれば端子遮蔽部が取外された場合に警報信号が出力されるため、検針員等にこれを認知させ、不正行為が行われた蓋然性が高いことを知らせることができる。
【００３８】
また、表示に端子遮蔽部が取外された回数である、「取外し回数」が表示されるため、前回検針時より「取外し回数」が増えている場合は、検針員等に端子遮蔽部が取外され、不正行為が行われた蓋然性が高いことを知らせることができる。
【００３９】
また、端子遮蔽部が取付け・取外された日時である「取付け日時」「取外し日時」に関するデータを外部の通信機能を持ったハンディターミナル等の機器（図中不示）に伝送することができるため、検針員等に端子遮蔽部が取付け・取外された日時を知らせることができるとともに、検針員等において、端子遮蔽部が取外され理由が、不正行為によるものか、配線工事等によるものかの判断に役立てることが可能である。
【００４０】
以上のように本実施例によれば、目視によらず、端子遮蔽部が取外されたことを確実に検出することができる電力量計を提供することができる。
【実施例２】
【００４１】
本発明による計量器の実施例２について図７を参照して説明する。この実施例２の各部について、図３に示す実施例１の電力量計の各部と同一部分は同一符号で示す。
【００４２】
この実施例２が、実施例１と相違する点は、実施例１では検知部１２３、１２４がスイッチにて構成されているのに対し、実施例２ではこれに代わり、発光部並びにその反射光を検出するフォトトランジスタ等の光センサからなる光検知部７０１にて構成されている点、ならびに実施例１では封印部材１１７に突起部２０３が設けられているのに対し、実施例２ではこれに代わり封印部材７０２に光反射部７０３が設けられている点である。実施例１では端子遮蔽部を構成する封印部材１１７が取付けられている場合、封印部材１１７の突起部２０３が検知部１２３のスイッチを押すため、当該スイッチの開閉状態にて封印部材１１７の取付け・取外し状態が検出されるが、これに対し、実施例２では端子遮蔽
部を構成する封印部材７０２が取付けられている場合、封印部材７０２の光反射部７０３が、検知部としての光検知部７０１内の発光部から発せられた光を反射するため、光検知部７０１内の光センサにてこの光を検知することにより封印部材の取付け・取外し状態が検出される。
【００４３】
図７において７０１は検知部としての光検知部で、光を発する発光部、ならびに光を検出する光センサにより構成され、当該発光部から発せられた光の反射光の有無を当該光センサにて検出する。自然光等と区別するため、当該発光部から発せられる光はコード化された光であることが望ましい。
【００４４】
７０２は端子遮蔽部を構成する封印部材で、プラスチックのような樹脂材料により構成され、固定用ネジ１１１に固定される。
【００４５】
ここで封印部材７０２の構造を図８に示す。図８は封印部材７０２を固定用ネジ１１１と接する面から見た斜視図である。
【００４６】
７０３は光反射部で、鏡状のシール等により構成され、封印部材７０２が固定用ネジ１１１に固定された状態で、端子カバー１１０の貫通穴１２１を介し、光検知部７０１内の発光部から発せられた光を反射する。
【００４７】
７０４は収納穴で固定用ネジ１１１のネジの頭を収納する。
【００４８】
動作は実施例１と基本的に同様で、図５に示すプログラムフロー図に沿って動作する。
【００４９】
封印部材７０２が取付けられている場合、封印部材７０２の光反射部７０３により、検知部としての光検知部７０１内の発光部から発せられた光が反射されるため、光検知部７０１内の光センサにてこの光を検知することにより封印部材７０２の取付け・取外し状態を検出することができる。
【００５０】
以上のように本実施例によれば、目視によらず、端子遮蔽部が取外されたことを確実に検出することができる電力量計を提供することができる。
【実施例３】
【００５１】
本発明による計量器の実施例２について図９を参照して説明する。この実施例３の各部について、図３に示す実施例１の電力量計の各部と同一部分は同一符号で示す。
【００５２】
この実施例３が、実施例１と相違する点は、実施例１では封印部材１１７に突起部２０３が設けられているのに対し、実施例３ではこれに代わり端子カバー８０１に突起部８０２が設けられている点である。実施例１では端子遮蔽部を構成する封印部材１１７が取付けられている場合、封印部材１１７の突起部２０３が検知部１２３のスイッチを押すため、当該スイッチの開閉状態にて封印部材１１７の取付け・取外し状態が検出されるが、これに対し、実施例３では端子遮蔽部を構成する端子カバー８０１の突起部８０２が検知部
１２３のスイッチを押すため、端子カバー８０１の取付け・取外し状態が検出される。
【００５３】
図９、図１０において８０１は端子遮蔽部を構成する端子カバーで、端子部１０１と面する側面にゴム等の絶縁物を貼った金属板等により構成され、電力量計本体１００の端子部１０１を覆う。
【００５４】
８０２は突起部で、樹脂材料等により構成され、端子カバー８０１が電力量計本体１００に取付けられた状態で、検知部１２３のスイッチを押す。なお突起部８０３も同様に検知部のスイッチ（図９中不示）を押す。
【００５５】
動作は実施例１と基本的に同様で、図５に示すプログラムフロー図に沿って動作する。
【００５６】
端子カバー８０１が取付けられている場合、端子カバー８０１の突起部が検知部のスイッチを押すため、端子カバー８０１の取付け・取外し状態を検出することができる。
【００５７】
以上のように本実施例によれば、目視によらず、端子遮蔽部が取外されたことを確実に検出することができる電力量計を提供することができる。
【実施例４】
【００５８】
本発明による計量器の実施例２について図１１を参照して説明する。この実施例４の各部について、図７に示す実施例２の電力量計の各部と同一部分は同一符号で示す。
【００５９】
この実施例４が、実施例２と相違する点は、実施例２では封印部材７０２に光反射部７０３が設けられているのに対し、実施例４ではこれに代わり端子カバー９０１に光反射部９０２、９０３が設けられている点である。実施例２では端子遮蔽部を構成する封印部材７０２が取付けられている場合、封印部材７０２の光反射部７０３によりが、検知部としての光検知部７０１内の発光部から発せられた光が反射されるため、光検知部７０１内の光センサにてこの光を検知することにより封印部材の取付け・取外し状態が検出されていたが、これに対し実施例４では端子遮蔽部を構成する端子カバー９０１が取付けられている場合、端子カバー９０１の光反射部９０２により、検知部としての光検知部７０１内の発光部から発せられた光が反射されるため、光検知部７０１内の光センサにてこの光を検知することにより端子カバーの取付け・取外し状態が検出される。
【００６０】
図１１、図１２において９０１は端子遮蔽部を構成する端子カバーで、端子部１０１と面する側面にゴム等の絶縁物を貼った金属板等により構成され、電力量計本体１００の端子部１０１を覆う。
【００６１】
９０２は光反射部で、鏡状のシール等により構成され、端子カバー９０１が電力量計本体１００に取付けられた状態で、光検知部７０１内の発光部から発せられた光を反射する。
【００６２】
なお光反射部９０３も同様に光検知部（図１１中不示）内の発光部から発せられた光を反射する。
【００６３】
動作は実施例２と基本的に同様で、図５に示すプログラムフロー図に沿って動作する。
【００６４】
端子カバー９０１が取付けられている場合、端子カバー９０１の光反射部９０２が、検知部としての光検知部７０１内の発光部から発せられた光を反射するため、光検知部７０１内の光センサにてこの光を検知することにより端子カバー９０１の取付け・取外し状態を検出することができる。
【００６５】
以上のように本実施例によれば、目視によらず、端子遮蔽部が取外されたことを確実に検出することができる電力量計を提供することができる。
【図面の簡単な説明】
【００６６】
【図１】本発明による電力量計の実施例１の構成を示す構成図
【図２】本発明による電力量計の封印部材の外観を示す外観図
【図３】本発明による電力量計の実施例１の構成を示す透視図
【図４】本発明による電力量計の回路部の内部構成を示す構成図
【図５】本発明による電力量計の実施例１のプログラムを示すプログラムフロー図
【図６】本発明による電力量計の記憶部の内容を示すメモリ構成図
【図７】本発明による電力量計の実施例１の構成を示す透視図
【図８】本発明による電力量計の封印部材の外観を示す外観図
【図９】本発明による電力量計の実施例１の構成を示す透視図
【図１０】本発明による電力量計の端子カバーの外観を示す外観図
【図１１】本発明による電力量計の実施例１の構成を示す透視図
【図１２】本発明による電力量計の端子カバーの外観を示す外観図
【符号の説明】
【００６７】
１００  電力量計本体
１０１  端子部
１０２，１０３，１０４  電源側端子
１０５，１０６，１０７  負荷側端子
１１０  端子カバー
１１１，１１２  固定用ネジ
１１３，１１４  貫通穴
１１５，１１６  ネジ穴
１１７，１１８  封印部材
１２１，１２２  貫通穴
１２３，１２４  検知部
２０１  収納穴
２０２  突起部
３０１  回路部
４０１  使用量検出部
４０２  検出部
４０３  表示部
４０４  報知部
４０５  通信部
４０６  記憶部
４０７  制御部
７０１  光検知部
７０２  封印部材
７０３  光反射部
８０１  端子カバー
８０２，８０３  突起部
９０１  端子カバー
９０２，９０３  光反射部
【図１】
2008134193.tif 000003
【図２】
2008134193.tif 000004
【図３】
2008134193.tif 000005
【図４】
2008134193.tif 000006
【図５】
2008134193.tif 000007
【図６】
2008134193.tif 000008
【図７】
2008134193.tif 000009
【図８】
2008134193.tif 000010
【図９】
2008134193.tif 000011
【図１０】
2008134193.tif 000012
【図１１】
2008134193.tif 000013
【図１２】
2008134193.tif 000014